【手続補正書】
【提出日】平成30年12月3日(2018.12.3)
【手続補正１】
【補正対象書類名】明細書
【補正対象項目名】発明の名称
【補正方法】変更
【補正の内容】
【発明の名称】デッキプレート連結金具及びデッキプレート連結構造
【手続補正２】
【補正対象書類名】明細書
【補正対象項目名】０００１
【補正方法】変更
【補正の内容】
【０００１】
本発明は、デッキプレート連結金具及びデッキプレート連結構造に関する。
【手続補正３】
【補正対象書類名】明細書
【補正対象項目名】０００４
【補正方法】変更
【補正の内容】
【０００４】
特許文献１の技術では、溶接技術を備えた溶接工による溶接作業が必要である。    
【手続補正４】
【補正対象書類名】明細書
【補正対象項目名】０００５
【補正方法】変更
【補正の内容】
【０００５】
本発明の目的は、上記事実を鑑み、溶接作業をせずに、鋼材のフランジとデッキプレートとを連結することである。
【手続補正５】
【補正対象書類名】明細書
【補正対象項目名】０００６
【補正方法】変更
【補正の内容】
【０００６】
第１態様は、鋼材のフランジへ嵌め込む嵌合部と、前記嵌合部の端部から折り返されて延在し、前記嵌合部との間に前記フランジに架け渡されたデッキプレートの端部を挟持する板部と、を備えたデッキプレート連結金具である。
第２態様は、前記嵌合部は、弾性変形し、前記嵌合部の開放側に向けて幅狭となっている、第１態様のデッキプレート連結金具である。
第３態様は、第１態様又は第２態様のデッキプレート連結金具の嵌合部がフランジに差し込まれた鋼材と、前記鋼材に架け渡され、前記デッキプレート連結金具の板部に挟まれたデッキプレートと、を備えたデッキプレート連結構造である。
【手続補正６】
【補正対象書類名】明細書
【補正対象項目名】０００７
【補正方法】変更
【補正の内容】
【０００７】
他の態様は、所定面積のデッキプレートを建造物の梁を形成する鋼材に連結するデッキプレート連結金具である。
このデッキプレート連結金具は、鋼材のフランジに嵌め込む嵌合部と、鋼材のフランジに載置されたデッキプレートの端部を挟み込む挟持部とを有し、デッキプレート連結金具では、嵌合部を介して連結金具がフランジに取り付けられ、挟持部を介してデッキプレートの端部が鋼材のフランジに連結される。
【手続補正７】
【補正対象書類名】明細書
【補正対象項目名】０００８
【補正方法】変更
【補正の内容】
【０００８】
他の態様は、前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板と、第３板の後端縁につながって上下方向へ延びていて前後方向前方へ折り曲げられる所定面積の第４板とから形成され、嵌合部が、それをフランジに嵌め込んだときに、フランジの下面に当接する第１板とフランジの端面に当接する第２板とフランジの上面に当接する第３板とから形成され、挟持部が、デッキプレートの端部の下面に当接する第３板と、前後方向前方へ折り曲げられたときにデッキプレートの端部の上面に当接する第４板とから形成されているデッキプレート連結金具である。
【手続補正８】
【補正対象書類名】明細書
【補正対象項目名】０００９
【補正方法】変更
【補正の内容】
【０００９】
他の態様は、第３板がその前端縁から後端縁に向かって第１板に次第に近づくように下り勾配に傾斜し、第１板の後端縁と第３板の後端縁との間の離間寸法がフランジの厚み寸法よりも小さいデッキプレート連結金具である。
【手続補正９】
【補正対象書類名】明細書
【補正対象項目名】００１０
【補正方法】変更
【補正の内容】
【００１０】
他の態様は、第１板がその前端縁から後端縁に向かって第３板に次第に近づくように上り勾配に傾斜し、第１板の後端縁と第３板の後端縁との間の離間寸法がフランジの厚み寸法よりも小さいデッキプレート連結金具である。
【手続補正１０】
【補正対象書類名】明細書
【補正対象項目名】００１１
【補正方法】変更
【補正の内容】
【００１１】
他の態様は、第１板の前端縁から後端縁までの長さ寸法が第３板の前端縁から後端縁までの長さ寸法よりも長く、第１板の後端縁近傍が第３板の後端縁の前後方向後方に位置しているデッキプレート連結金具である。
【手続補正１１】
【補正対象書類名】明細書
【補正対象項目名】００１２
【補正方法】変更
【補正の内容】
【００１２】
他の態様は、第４板がその下端縁から上端縁に向かって第３板に次第に近づくように上り勾配に傾斜しているデッキプレート連結金具である。
【手続補正１２】
【補正対象書類名】明細書
【補正対象項目名】００１３
【補正方法】変更
【補正の内容】
【００１３】
他の態様は、第４板の下端縁から上端縁までの長さ寸法が第３板の前端縁から後端縁までの長さ寸法よりも長く、デッキプレート連結金具では、第４板が前後方向前方へ折り曲げられたときに第４板の上端縁近傍が第３板の前端縁から前後方向前方に位置するデッキプレート連結金具である。
【手続補正１３】
【補正対象書類名】明細書
【補正対象項目名】００１４
【補正方法】変更
【補正の内容】
【００１４】
他の態様は、デッキプレート連結金具がフランジから前後方向前方に位置するデッキプレートの端部とフランジから前後方向前方に位置する第４板の上端縁近傍とを連結する螺子部材を含むデッキプレート連結金具である。
【手続補正１４】
【補正対象書類名】明細書
【補正対象項目名】００１５
【補正方法】変更
【補正の内容】
【００１５】
他の態様は、梁がＨ形鋼、ラチス梁、トラス梁、帯板梁、プレート梁のうちのいずれかであるデッキプレート連結金具である。
【手続補正１５】
【補正対象書類名】明細書
【補正対象項目名】００１６
【補正方法】変更
【補正の内容】
【００１６】
他の態様は、所定面積のデッキプレートを建造物の梁を形成する鋼材に連結するデッキプレート連結方法である。
【手続補正１６】
【補正対象書類名】明細書
【補正対象項目名】００１７
【補正方法】変更
【補正の内容】
【００１７】
このデッキプレート連結方法は、鋼材のフランジに嵌め込む嵌合部と鋼材のフランジに載置されたデッキプレートの端部を挟み込む挟持部とを有するデッキプレート連結金具を利用し、デッキプレート連結金具の嵌合部を鋼材のフランジに嵌め込んで連結金具をフランジに取り付ける嵌合工程と、連結金具の挟持部でデッキプレートの端部を挟み込んでデッキプレートの端部を鋼材のフランジに連結する挟持工程とを有する。
【手続補正１７】
【補正対象書類名】明細書
【補正対象項目名】００１８
【補正方法】変更
【補正の内容】
【００１８】
他の態様は、デッキプレート連結金具の嵌合部が、前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板とから形成され、デッキプレート連結金具の挟持部が、第３板と、第３板の後端縁につながって上下方向へ延びていて前後方向前方へ折り曲げられる所定面積の第４板とから形成され、嵌合工程では、第１板と第３板との間に鋼材のフランジを挿入し、第１板がフランジの下面に当接し、第２板がフランジの端面に当接するとともに、第３板がフランジの上面に当接した状態で嵌合部をフランジに嵌め込み、挟持工程では、デッキプレートの端部を第３板の上面に載置しつつ、第４板を第３板に向かって前後方向前方へ折り曲げ、第４板がデッキプレートの端部の上面に密着し、第３板がデッキプレートの端部の下面に密着した状態で挟持部によってデッキプレートの端部を挟み込むデッキプレート連結方法である。
【手続補正１８】
【補正対象書類名】明細書
【補正対象項目名】００１９
【補正方法】変更
【補正の内容】
【００１９】
他の態様は、デッキプレート連結金具の第３板がその前端縁から後端縁に向かって第１板に次第に近づくように下り勾配に傾斜し、第１板の後端縁と第３板の後端縁との間の離間寸法が鋼材のフランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法である。
【手続補正１９】
【補正対象書類名】明細書
【補正対象項目名】００２０
【補正方法】変更
【補正の内容】
【００２０】
他の態様は、デッキプレート連結金具の第１板がその前端縁から後端縁に向かって第３板に次第に近づくように上り勾配に傾斜し、第１板の後端縁と第３板の後端縁との間の離間寸法が鋼材のフランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法である。
【手続補正２０】
【補正対象書類名】明細書
【補正対象項目名】００２１
【補正方法】変更
【補正の内容】
【００２１】
他の態様は、デッキプレート連結金具の第１板の前端縁から後端縁までの長さ寸法が第３板の前端縁から後端縁までの長さ寸法よりも長く、第１板の後端縁近傍が第３板の後端縁の前後方向後方に位置し、嵌合工程では、第１板の後端縁近傍を鋼材のフランジの下面に引っ掛けた状態で第１板と第３板とが上下方向へ離間するようにそれら板を上下方向へ拡げつつ嵌合部をフランジに嵌め込むデッキプレート連結方法である。
【手続補正２１】
【補正対象書類名】明細書
【補正対象項目名】００２２
【補正方法】変更
【補正の内容】
【００２２】
他の態様は、デッキプレート連結金具の第４板がその下端縁から上端縁に向かって第３板に次第に近づくように上り勾配に傾斜し、挟持工程では、傾斜する第４板を下方に向かって押圧して第４板を第３板に向かって前後方向前方へ折り曲げ、第４板と第３板とでデッキプレートの端部を挟み込むデッキプレート連結方法である。
【手続補正２２】
【補正対象書類名】明細書
【補正対象項目名】００２３
【補正方法】変更
【補正の内容】
【００２３】
他の態様は、デッキプレート連結金具の第４板の下端縁から上端縁までの長さ寸法が第３板の前端縁から後端縁までの長さ寸法よりも長く、デッキプレート連結方法が、挟持工程によってデッキプレート連結金具の第４板を前後方向前方へ折り曲げたときに第３板の前端縁から前後方向前方に位置する第４板の上端縁近傍を螺子部材を介してフランジから前後方向前方に位置するデッキプレートの端部に連結する螺着工程を含むデッキプレート連結方法である。
【手続補正２３】
【補正対象書類名】明細書
【補正対象項目名】００２４
【補正方法】変更
【補正の内容】
【００２４】
本発明によれば、溶接作業をせずに、鋼材のフランジとデッキプレートとを連結することができる。
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４３
【補正方法】変更
【補正の内容】
【００４３】
デッキプレート連結金具１０Ａは、梁４０を形成する鋼材４１のフランジ４２に嵌め込む嵌合部１１と、鋼材４１のフランジ４２に載置されたデッキプレート４６の端部４７を挟み込む挟持部１２とを有する。デッキプレート連結金具１０Ａは、前後方向へ延びる所定面積の第１板１３（第１板部分）と、上下方向へ延びる所定面積の第２板１４（第２板部分）と、前後方向へ延びる所定面積の第３板１５（第３板部分）と、上下方向へ延びる所定面積の第４板１６（第４板部分）と、螺子部材１７（図１３参照）とから形成されている。デッキプレート連結金具１０Ａの嵌合部１１は、第１板１３と第２板１４と第３板１５とから形成されている。デッキプレート連結金具１０Ａの挟持部１２は、第３板１５と板部の一例としての第４板１６とから形成されている。
【手続補正４０】
【補正対象書類名】明細書
【補正対象項目名】００５１
【補正方法】変更
【補正の内容】
【００５１】
第４板１６（第４板部分）は、上下方向へ長く、その平面形状が方形（長方形）である。第４板１６は、第３板１５における嵌合部１１の端部の一例としての後端縁３１に一体につながり、第３板１５に対して略直交している。第４板１６は、前面３３および後面３４と、上下方向下方（前後方向後方）に位置して横方向へ延びる下端縁３５（第３板１５の後端縁３１）と、上下方向上方（前後方向前方）に位置して横方向へ延びる上端縁３６と、上下端縁３５，３６の間に位置して上下方向（前後方向）へ延びる両側縁３７とを有する。第４板１６は、その下端縁３５から上端縁３６に向かって第３板１５に次第に近づくように上り勾配に傾斜している。なお、第４板１６が傾斜することなく、第４板１６が上下方向へ直状に延びていてもよく、第
４板１６がその下端縁３５から上端縁３６に向かって第３板１５から次第に離間するように傾斜していてもよい。
【手続補正４１】
【補正対象書類名】明細書
【補正対象項目名】００８９
【補正方法】変更
【補正の内容】
【００８９】
デッキプレート連結金具１０Ｃやデッキプレート連結金具１０Ｃを利用したデッキプレート連結方法は、Ｈ形鋼４１ａ（鋼材４１）のフランジ４２から前後方向前方に位置するデッキプレート４６の端部４７とフランジ４２から前後方向前方に位置する第４板１６の上端縁３６を含むその近傍３９とを４本の鉄用ビス１７（螺子部材）によって連結することで、それら鉄用ビス１７（螺子部材）によってＨ形鋼４１ａのフランジ４２とデッキプレート４６の端部４７とを確実に連結することができ、連結金具１０Ｃに対してデッキプレート４６がズレ動くことはなく、挟持部１２とそれら鉄用ビス１７（螺子部材）とを介してデッキプレート４６の端部４７をＨ形鋼４１ａのフランジ４２に確実に連結することができる。
＜その他＞
デッキプレート連結金具は、鋼材（建造物の梁）のフランジに嵌め込む嵌合部と鋼材のフランジに載置されたデッキプレートの端部を挟み込む挟持部とを有し、嵌合部を介して連結金具がフランジに取り付けられ、挟持部を介してデッキプレートの端部が鋼材のフランジに連結されるから、溶接技術を備えた溶接工による溶接作業が不要となり、溶接工以外の作業者が鋼材とデッキプレートとの連結作業を行うことができ、溶接作業にともなう手間と時間とを要することはなく、鋼材（梁）のフランジとデッキプレートとを迅速かつ効率的に連結することができる。デッキプレート連結金具は、鋼材（梁）のフランジとデッキプレートとの連結に溶接作業が不要であるから、火気を嫌う場所において火花を発生させることなく鋼材のフランジとデッキプレートとを安全に連結することができる。
前後方向へ延びる所定面積の第１板と、第１板の前端縁につながって上下方向へ延びる所定面積の第２板と、第２板の上端縁につながって前後方向へ延びていてデッキプレートの端部が載置される所定面積の第３板と、第３板の後端縁につながって上下方向へ延びていて前後方向前方へ折り曲げられる所定面積の第４板とから形成され、嵌合部がそれをフランジに嵌め込んだときにフランジの下面に当接する第１板とフランジの端面に当接する第２板とフランジの上面に当接する第３板とから形成され、挟持部がデッキプレートの端部の下面に当接する第３板と前後方向前方へ折り曲げられたときにデッキプレートの端部の上面に当接する第４板とから形成されているデッキプレート連結金具は、嵌合部を形成する第１板が鋼材のフランジの下面に当接（密着）し、第２板がフランジの端面に当接（密着）するとともに、第３板がフランジの上面に当接（密着）するから、第１〜第３板から形成された嵌合部を介してデッキプレート連結金具を鋼材のフランジに確実に取り付けることができ、挟持部を形成する第３板がデッキプレートの端部の下面に当接（密着）し、前後方向前方へ折り曲げられた第４板がデッキプレートの端部の上面に当接（密着）することで、第３および第４板がデッキプレートの端部を挟み込むから、第３および第４板から形成された挟持部を介してデッキプレートの端部を鋼材のフランジに確実に連結することができる。デッキプレート連結金具は、第１〜第３板から形成された嵌合部を鋼材のフランジに嵌め込み、第３および第４板から形成された挟持部によってデッキプレートの端部を挟み込むことで、鋼材のフランジとデッキプレートとを連結することができるから、溶接作業が不要となり、溶接作業にともなう手間や時間を要することはなく、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
第３板がその前端縁から後端縁に向かって第１板に次第に近づくように下り勾配に傾斜し、第１板の後端縁と第３板の後端縁との間の離間寸法が鋼材のフランジの厚み寸法よりも小さいデッキプレート連結金具は、第１および第３板の弾性力に抗して第１および第３板を上下方向へ拡げ、その状態で第１〜第３板から形成された嵌合部をフランジに嵌め込むことで、第１および第３板の弾性変形を利用してそれら板をフランジに密着させることができ、鋼材のフランジに対して嵌合部が不用意に遊動することはなく、嵌合部を介してデッキプレート連結金具を鋼材のフランジに確実に取り付けることができる。
第１板がその前端縁から後端縁に向かって第３板に次第に近づくように上り勾配に傾斜し、第１板の後端縁と第３板の後端縁との間の離間寸法がフランジの厚み寸法よりも小さいデッキプレート連結金具は、第１および第３板の弾性力に抗して第１および第３板を上下方向へ拡げ、その状態で第１〜第３板から形成された嵌合部をフランジに嵌め込むことで、第１および第３板の弾性変形を利用してそれら板をフランジに密着させることができ、鋼材のフランジに対して嵌合部が不用意に遊動することはなく、嵌合部を介してデッキプレート連結金具を鋼材のフランジに確実に取り付けることができる。
第１板の前端縁から後端縁までの長さ寸法が第３板の前端縁から後端縁までの長さ寸法よりも長く、第１板の後端縁近傍が第３板の後端縁の前後方向後方に位置しているデッキプレート連結金具は、第１板の後端縁近傍をフランジの下面に引っ掛けた状態で第１および第３板の弾性力に抗して第１および第３板を上下方向へ拡げ、その状態で第１〜第３板から形成された嵌合部をフランジに嵌め込むことができるから、嵌合部をフランジに容易に嵌め込むことができ、嵌合部を介してデッキプレート連結金具を鋼材のフランジに迅速に取り付けることができる。
第４板がその下端縁から上端縁に向かって第３板に次第に近づくように上り勾配に傾斜しているデッキプレート連結金具は、第４板がその下端縁から上端縁に向かって第３板に次第に近づくように上り勾配に傾斜することで、傾斜する第４板を下方に向かって容易に押圧することができ、第４板を第３板に向かって前後方向前方へ容易に折り曲げることができるから、第３および第４板をデッキプレートの端部の上下面に確実に当接（密着）させることができ、第３および第４板から形成された挟持部を介してデッキプレートの端部を鋼材のフランジに容易に連結することができる。
第４板の下端縁から上端縁までの長さ寸法が第３板の前端縁から後端縁までの長さ寸法よりも長く、第４板が前後方向前方へ折り曲げられたときに第４板の上端縁近傍が第３板の前端縁から前後方向前方に位置するデッキプレート連結金具は、第４板が前後方向前方へ折り曲げられたときに第４板の上端縁近傍が第３板の前端縁から前後方向前方に位置（延在）することで、第４板をデッキプレートの端部の上面に広範囲に当接（密着）させることができ、第３および第４板から形成された挟持部を介してデッキプレートの端部を鋼材のフランジに確実に連結することができる。
鋼材のフランジから前後方向前方に位置するデッキプレートの端部とフランジから前後方向前方に位置する第４板の上端縁近傍とを連結する螺子部材を含むデッキプレート連結金具は、フランジから前後方向前方に位置するデッキプレートの端部とフランジから前後方向前方に位置する第４板の上端縁近傍とを螺子部材によって連結することで、第３および第４板から形成された挟持部によってデッキプレートの端部を挟み込むのみならず、螺子部材によって鋼材のフランジとデッキプレートの端部とを連結することができ、挟持部と螺子部材とを介してデッキプレートの端部を鋼材のフランジに確実に連結することができる。
梁がＨ形鋼、ラチス梁、トラス梁、帯板梁、プレート梁のうちのいずれかであるデッキプレート連結金具は、Ｈ形鋼やラチス梁、トラス梁、帯板梁、プレート梁の鋼材のフランジに嵌め込む嵌合部を介して連結金具がフランジに取り付けられ、デッキプレートの端部を挟み込む挟持部を介してデッキプレートの端部がＨ形鋼やラチス梁、トラス梁、帯板梁、プレート梁の鋼材のフランジに連結されるから、溶接技術を備えた溶接工による溶接作業が不要となり、溶接工以外の作業者がＨ形鋼やラチス梁、トラス梁、帯板梁、プレート梁とデッキプレートとの連結作業を行うことができ、溶接作業にともなう手間と時間とを要することはなく、Ｈ形鋼やラチス梁、トラス梁、帯板梁、プレート梁のフランジとデッキプレートとを迅速かつ効率的に連結することができる。デッキプレート連結金具は、Ｈ形鋼やラチス梁、トラス梁、帯板梁、プレート梁の鋼材のフランジとデッキプレートとの連結に溶接作業が不要であるから、火気を嫌う場所において火花を発生させることなく、Ｈ形鋼やラチス梁、トラス梁、帯板梁、プレート梁のフランジとデッキプレートとを連結することができる。
デッキプレート連結方法は、鋼材（建造物の梁）のフランジに嵌め込む嵌合部と鋼材のフランジに載置されたデッキプレートの端部を挟み込む挟持部とを有するデッキプレート連結金具を利用し、デッキプレート連結金具の嵌合部を鋼材のフランジに嵌め込んで連結金具をフランジに取り付け、デッキプレート連結金具の挟持部でデッキプレートの端部を挟み込んでデッキプレートの端部を鋼材のフランジに連結するから、溶接技術を備えた溶接工による溶接作業が不要となり、溶接工以外の作業者が鋼材とデッキプレートとの連結作業を行うことができ、溶接作業にともなう手間と時間とを要することはなく、鋼材（梁）のフランジとデッキプレートとを迅速かつ効率的に連結することができる。デッキプレート連結方法は、鋼材（梁）のフランジとデッキプレートとの連結に溶接作業が不要であるから、火気を嫌う場所において火花を発生させることなく鋼材のフランジとデッキプレートとを連結することができる。
デッキプレート連結金具の嵌合部が前後方向へ延びる所定面積の第１板と第１板の前端縁につながって上下方向へ延びる所定面積の第２板と第２板の上端縁につながって前後方向へ延びていてデッキプレートの端部が載置される所定面積の第３板とから形成され、デッキプレート連結金具の挟持部が第３板と第３板の後端縁につながって上下方向へ延びていて前後方向前方へ折り曲げられる所定面積の第４板とから形成され、第１板と第３板との間にフランジを挿入し、第１板がフランジの下面に当接し、第２板がフランジの端面に当接するとともに、第３板がフランジの上面に当接した状態で嵌合部をフランジに嵌め込み、デッキプレートの端部を第３板の上面に載置しつつ、第４板を第３板に向かって前後方向前方へ折り曲げ、第４板がデッキプレートの端部の上面に密着し、第３板がデッキプレートの端部の下面に密着した状態で挟持部によってデッキプレートの端部を挟み込むデッキプレート連結方法は、嵌合工程において第１板が鋼材のフランジの下面に当接（密着）し、第２板がフランジの端面に当接（密着）するとともに、第３板がフランジの上面に当接（密着）するから、第１〜第３板から形成された嵌合部をフランジに嵌め込むことでデッキプレート連結金具を鋼材のフランジに確実に取り付けることができ、挟持工程において第３板がデッキプレートの端部の下面に当接（密着）し、前後方向前方へ折り曲げられた第４板がデッキプレートの端部の上面に当接（密着）することで、第３および第４板がデッキプレートの端部を挟み込むから、第３および第４板から形成された挟持部を介してデッキプレートの端部を鋼材のフランジに確実に連結することができる。デッキプレート連結方法は、第１〜第３板から形成されたデッキプレート連結金具の嵌合部を鋼材のフランジに嵌め込み、第３および第４板から形成されたデッキプレート連結金具の挟持部によってデッキプレートの端部を挟み込むことで、鋼材のフランジとデッキプレートとを連結することができるから、溶接作業が不要となり、溶接作業にともなう手間や時間を要することはなく、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを連結することができる。
デッキプレート連結金具の第３板がその前端縁から後端縁に向かって第１板に次第に近づくように下り勾配に傾斜し、第１板の後端縁と第３板の後端縁との間の離間寸法がフランジの厚み寸法よりも小さく、第１板と第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法は、第１および第３板の弾性力に抗して第１および第３板を上下方向へ拡げ、その状態で第１〜第３板から形成された嵌合部をフランジに嵌め込むことで、第１および第３板が弾性変形してフランジを強く挟み込むから、第１および第３板の弾性変形（挟持力）を利用してそれら板をフランジに密着させることができ、鋼材のフランジに対してデッキプレート連結金具の嵌合部が不用意に遊動することはなく、嵌合部を介してデッキプレート連結金具を鋼材のフランジに確実に取り付けることができる。
デッキプレート連結金具の第１板がその前端縁から後端縁に向かって第３板に次第に近づくように上り勾配に傾斜し、第１板の後端縁と第３板の後端縁との間の離間寸法がフランジの厚み寸法よりも小さく、第１板と前記第３板とを上下方向へ離間させるようにそれら板を上下方向へ拡げた状態で嵌合部をフランジに嵌め込み、第１板と第３板との弾性変形を利用してそれら板をフランジに密着させてデッキプレート連結金具をフランジに取り付けるデッキプレート連結方法は、第１および第３板の弾性力に抗して第１および第３板を上下方向へ拡げ、その状態で第１〜第３板から形成された嵌合部をフランジに嵌め込むことで、第１および第３板が弾性変形してフランジを強く挟み込むから、第１および第３板の弾性変形（挟持力）を利用してそれら板をフランジに密着させることができ、鋼材のフランジに対してデッキプレート連結金具の嵌合部が不用意に遊動することはなく、嵌合部を介してデッキプレート連結金具を鋼材のフランジに確実に取り付けることができる。
デッキプレート連結金具の第１板の前端縁から後端縁までの長さ寸法が第３板の前端縁から後端縁までの長さ寸法よりも長く、第１板の後端縁近傍が第３板の後端縁の前後方向後方に位置し、第１板の後端縁近傍をフランジの下面に引っ掛けた状態で第１板と第３板とが上下方向へ離間するようにそれら板を上下方向へ拡げつつ嵌合部をフランジに嵌め込むデッキプレート連結方法は、第１板の後端縁近傍をフランジの下面に引っ掛けた状態で第１および第３板の弾性力に抗して第１および第３板を上下方向へ拡げ、その状態で第１〜第３板から形成されたデッキプレート連結金具の嵌合部をフランジに嵌め込むから、嵌合部をフランジに容易に嵌め込むことができ、嵌合部を介してデッキプレート連結金具を鋼材のフランジに迅速に取り付けることができる。
デッキプレート連結金具の第４板がその下端縁から上端縁に向かって第３板に次第に近づくように上り勾配に傾斜し、傾斜する第４板を下方に向かって押圧して第４板を第３板に向かって前後方向前方へ折り曲げ、第４板と第３板とでデッキプレートの端部を挟み込むデッキプレート連結方法は、下端縁から上端縁に向かって第３板に次第に近づくように上り勾配に傾斜する第４板を下方に向かって容易に押圧することができ、第４板を第３板に向かって前後方向前方へ容易に折り曲げることができるから、第３および第４板をデッキプレートの端部の上下面に確実に当接（密着）させることができ、第３および第４板から形成された挟持部を介してデッキプレートの端部を鋼材のフランジに容易に連結することができる。
デッキプレート連結金具の第４板の下端縁から上端縁までの長さ寸法が第３板の前端縁から後端縁までの長さ寸法よりも長く、デッキプレート連結金具の第４板を前後方向前方へ折り曲げたときに第３板の前端縁から前後方向前方に位置する第４板の上端縁近傍を螺子部材を介してフランジから前後方向前方に位置するデッキプレートの端部に連結するデッキプレート連結方法は、デッキプレート連結金具の第４板が前後方向前方へ折り曲げられたときに第４板の上端縁近傍が第３板の前端縁から前後方向前方に位置（延在）することで、第４板をデッキプレートの端部の上面に広範囲に当接（密着）させることができ、第３および第４板から形成された挟持部を介してデッキプレートの端部を鋼材のフランジに確実に連結することができる。デッキプレート連結方法は、フランジから前後方向前方に位置するデッキプレートの端部とフランジから前後方向前方に位置する第４板の上端縁近傍とを螺子部材によって連結することで、第３および第４板から形成されたデッキプレート連結金具の挟持部によってデッキプレートの端部を挟み込むのみならず、螺子部材によって鋼材のフランジとデッキプレートの端部とを連結することができ、挟持部と螺子部材とを介してデッキプレートの端部を鋼材のフランジに確実に連結することができる。
【手続補正４２】
【補正対象書類名】明細書
【補正対象項目名】００９０
【補正方法】変更
【補正の内容】
【００９０】
１０Ａ  デッキプレート連結金具
１０Ｂ  デッキプレート連結金具
１０Ｃ  デッキプレート連結金具
１１    嵌合部
１６    第４板（板部）
３１    後端縁（嵌合部の端部）
４１    鋼材
４２    フランジ
４６    デッキプレート
４７    端部（デッキプレートの端部）
【手続補正４３】
【補正対象書類名】特許請求の範囲
【補正対象項目名】全文
【補正方法】変更
【補正の内容】
【特許請求の範囲】
【請求項１】
鋼材のフランジへ嵌め込む嵌合部と、
前記嵌合部の端部から折り返されて延在し、前記嵌合部との間に前記フランジに架け渡されたデッキプレートの端部を挟持する板部と、
を備えたデッキプレート連結金具。
【請求項２】
前記嵌合部は、弾性変形し、前記嵌合部の開放側に向けて幅狭となっている、
請求項１に記載のデッキプレート連結金具。
【請求項３】
請求項１又は請求項２のデッキプレート連結金具の嵌合部がフランジに差し込まれた鋼材と、
前記鋼材に架け渡され、前記デッキプレート連結金具の板部に挟まれたデッキプレートと、
を備えたデッキプレート連結構造。